(57)【要約】【課題】基礎及び支柱部を台風の強風に十分に耐えられる耐倒壊強度を有するように堅固に、かつ簡易迅速に低コストで構築することができ、周辺との違和感を生じない存在感を持たせることができ、薄暮時に自動点灯し人が通過するときに周囲を広く明るく照射できる屋外灯、屋外監視装置及び屋外監視システムを提供すること。【解決手段】支柱部６と、上面部に太陽光発電パネル１４、下面側にＬＥＤ発光部８ｂ、中間部に蓄電池部８ｃを有し、さらに光センサ８ｄと人感センサ８ｅを有するオールインワンに構成され、光センサ８ｄにより周囲が一定照度以下に暗くなることを感知してＬＥＤ発光部８ｂを弱く発光しさらに人感センサ８ｅが照光領域に人の存在を感知することによりＬＥＤ発光部８ｂが明るく発光する複数個の人感型夜間照明灯８と、支柱部６の上部に備えられ複数個の人感型照明灯８を分配支持する第１のブラケット７とを備えてなる。【選択図】図１
2014110238.tif 000002
【特許請求の範囲】
【請求項１】
基礎部と、
前記基礎部に立設される支柱部と、
上面部に太陽光発電パネル部、下面側にＬＥＤ発光部、中間部に蓄電池を有し、さらに光センサと人感センサを有するオールインワンに構成され、前記光センサにより周囲が一定照度以下に暗くなることを感知して前記ＬＥＤ発光部を弱く発光しさらに前記人感センサが照光領域に人の存在を感知することにより前記ＬＥＤ発光部が明るく発光する複数個の人感型夜間照明灯と、
前記支柱部の上部に備えられ複数個の前記人感型照明灯を支持する第１のブラケットと、を備え、
前記基礎部は、
地中に掘られた穴に複数個積み重ね収容される重量ブロックを備え、前記積み重ねた複数の重量ブロックには上下に貫通して設けられた複数の支柱部支持孔を有しており、
前記支柱部は、複数本のパイプ材よりなり、各パイプ材の下端を前記基礎部の支柱部支持孔に挿し込まれて立設され、
前記第は、前記支柱部を構成する複数本のパイプ材の上端に載置固定され植木鉢を受承し得る底面部と、前記底面部を取り巻く所要高い位置に備えられ前記植木鉢を取り囲むリング部と、前記底面部の周縁の複数個所よりそれぞれ立ち上がり前記リング部を支持する複数の連結バーと、を有する形状であり、
前記リング部に、複数個の前記人感型夜間照明灯が分配して設けられていることを特徴とする屋外灯。
【請求項２】
請求項１に記載の屋外灯において、前記基礎部は、各重量ブロックの側面より放射方向に延びた状態に複数本設けられ地中に埋められて前記重量ブロックを安定させる棒状部を、さらに備えている屋外灯。
【請求項３】
請求項１又は２に記載の屋外灯を備え、前記屋外灯の支柱部に屋外監視部を備え、
前記屋外監視部は、
前記支柱部に取り付けられ該支柱部下方の監視領域を撮影する撮像器及び該撮像器の映像を該支柱部から離れた施設に設備されるコンピュータに対して無線送信する通信器又は送信器と、
前記支柱部に取り付けられた太陽光発電パネルと、
前記支柱部に取り付けられ、前記太陽光発電パネルが発電した電力を蓄えると共に前記撮像器及び前記通信器又は送信器に給電する撮像部駆動用蓄電池と、を含んでなる、ことを特徴とする屋外監視装置。
【請求項４】
請求項３に記載の屋外監視装置において、前記撮像器が撮影した映像を前記コンピュータに接続された受信器に送信するようにカスタマイズされていて、前記撮像器、前記通信器又は送信器、及び前記撮像部駆動用蓄電池の三つを兼ねる携帯電話が、前記支柱部に取り付けられ、前記太陽光発電パネルから給電される構成である屋外監視装置。
【請求項５】
請求項３又は４に記載の屋外監視装置を備えると共に、さらに請求項３又は４に記載の前記コンピュータを備え、
前記コンピュータは、入力した映像をそのままインターネットに配信するウェブサーバーである、
ことを特徴とする屋外監視システム。
【発明の詳細な説明】
【技術分野】
【０００１】  本発明は、薄暮時に自動点灯し人が通過するときに明るく点灯する屋外灯、薄暮時に自動点灯し人が通過するときに明るく点灯しさらに照射領域の映像を遠隔監視し得る屋外監視装置、及び照射領域の映像をリアルタイムで遠隔監視し得る屋外監視装置システムに関する。
【背景技術】
【０００２】  特許文献１に開示された屋外灯は、地表に埋設した板状のコンクリート基礎上にバッテリとコントローラを内蔵した基礎ボックスを固定し、基礎ボックス上に配線を通した支柱部を立設し、支柱部の上部二股部の一の傾斜部の内部より下向きに照射する照明部を備え、支柱部の上部二股部の他の一の直立部に傾斜状態とされかつ太陽の位置に対応して追随回転するソーラーパネルを備え、昼間時はソーラーパネルの発電力をバッテリに充電し、照度センサが薄暮を検知したらバッテリから給電し照明部を点灯する。【０００３】  特許文献２に開示された屋外監視システムは、地中埋設のコンクリート基礎上に立設した支柱部の上部に、ソーラーパネルと無線通信機とを備え、支柱部の中程に撮像カメラと照明灯とを備え、支柱部の下部にソーラーパネルの発電電力を蓄える第１蓄電池と第２蓄電池とを備え、ソーラーパネルの発電電力及び第１蓄電池又は第２蓄電池の電力を撮像カメラ、無線通信機及び照明灯に駆動電力を供給し、無線通信機で電池の放電終止時間情報を監視センターに送信し第１蓄電池の状態を監視センターで監視する。
【先行技術文献】
【特許文献】
【０００４】
【特許文献１】特開２００９−２１８０８６号公報
【特許文献２】特開２００８−９８８５４号公報
【発明の概要】
【発明が解決しようとする課題】
【０００５】  しかしながら、特許文献１に開示された屋外灯は、基礎ボックスを介して支柱部を地表に埋設したコンクリート基板上に固定する構造なので、支柱部と基礎ボックスとの連結強度、及び基礎ボックスとコンクリート基板との連結強度を台風などの強風に耐えられるようにする必要があり、重量が大きくなり、コストが高くつくという問題がある。またこの屋外灯は、支柱部の上端傾斜部に下向きの開口を設けてこの開口より上端傾斜部内に照明部を備えているので照射範囲が狭い。【０００６】  また、特許文献２に開示された屋外監視システムは、支持体（支柱部）の下部を、第１蓄電池と第２蓄電池を収納する大径筒状の収納室としており、強度を台風などの強風に耐えられるようにする必要があり、重量が大きくなり、コストが高くつくという問題がある。【０００７】  他方、屋外灯や屋外監視システムを極めて低コストで提供することが求められている。この場合、台風などの強風に十分に耐えられる支柱部強度を有し、周囲に違和感を与えないことが求められている。【０００８】  本発明は、上述した点に鑑み案出されたもので、基礎及び支柱部を台風の強風に十分に耐えられる耐倒壊強度を有するように堅固に、かつ簡易迅速に低コストで構築することができ、周辺との違和感を生じない存在感を持たせることができ、薄暮時に自動点灯し人が通過するときに周囲を広く明るく照射できる屋外灯を提供することを目的としている。
また、本発明は、屋外灯による照射領域を常時遠隔監視し得る屋外監視装置を提供することを目的としている。
さらに、本発明は、屋外監視装置による照射領域を映像により遠隔監視し得る屋外灯、屋外監視装置および屋外監視システムを提供することを目的としている。
【課題を解決するための手段】
【０００９】  上記目的を達成するために、本発明の第１の態様は屋外灯であり、この屋外灯は、基礎部と、前記基礎部に立設される支柱部と、上面部に太陽光発電パネル部、下面側にＬＥＤ発光部、中間部に蓄電池を有し、さらに光センサと人感センサを有するオールインワンに構成され、前記光センサにより周囲が一定照度以下に暗くなることを感知して前記ＬＥＤ発光部を弱く発光しさらに前記人感センサが照光領域に人の存在を感知することにより前記ＬＥＤ発光部が明るく発光する複数個の人感型夜間照明灯と、前記支柱部の上部に備えられ複数個の前記人感型照明灯を支持する第１のブラケットと、を備え、前記基礎部は、地中に掘られた穴に複数個積み重ね収容される重量ブロックを備え、前記積み重ねた複数の重量ブロックには上下に貫通して設けられた複数の支柱部支持孔を有しており、前記支柱部は、複数本のパイプ材よりなり、各パイプ材の下端を前記基礎部の支柱部支持孔に挿し込まれて立設され、前記第は、前記支柱部を構成する複数本のパイプ材の上端に載置固定され植木鉢を受承し得る底面部と、前記底面部を取り巻く所要高い位置に備えられ前記植木鉢を取り囲むリング部と、前記底面部の周縁の複数個所よりそれぞれ立ち上がり前記リング部を支持する複数の連結バーと、を有する形状であり、前記リング部に、複数個の前記人感型夜間照明灯が分配して設けられていることを特徴とする。【００１０】  第２の態様は、第１の態様の屋外灯において、前記基礎部が、各重量ブロックの側面より放射方向に延びた状態に複数本設けられ地中に埋められて前記重量ブロックを安定させる棒状部を、さらに備えている構成である。【００１１】  本発明の第３の態様は屋外監視装置であり、この屋外監視装置は、第１又は２の態様の屋外灯を備え、前記屋外監視部は、前記支柱部に取り付けられ該支柱部下方の監視領域を撮影する撮像器及び該撮像器の映像を該支柱部から離れた施設に設備されるコンピュータに対して無線送信する通信器又は送信器と、前記支柱部に取り付けられた太陽光発電パネルと、前記支柱部に取り付けられ、前記太陽光発電パネルが発電した電力を蓄えると共に前記撮像器及び前記通信器又は送信器に給電する撮像部駆動用蓄電池と、を含んでなる。【００１２】  第４の態様は、第３の態様の屋外監視装置において、前記撮像器が撮影した映像を前記コンピュータに接続された受信器に送信するようにカスタマイズされていて、前記撮像器、前記通信器又は送信器、及び前記撮像部駆動用蓄電池の三つを兼ねる携帯電話が、前記支柱部に取り付けられ、前記太陽光発電パネルから給電される構成である。【００１３】  本発明の第５の態様は屋外監視システムであり、この屋外監視システムは、第３又は４の屋外監視装置を備えると共に、さらに第３又は４の態様の前記コンピュータを備え、前記コンピュータは、入力した映像をそのままインターネットに配信するウェブサーバーである、ことを特徴とする。
【発明の効果】
【００１４】  本発明の屋外灯によれば、地表に穴掘りしこの穴にて複数個の重量ブロックを積み重ね収容して基礎を構築することができ、さらに複数個の重量ブロックの積み重ねからなる基礎には複数の支柱部支持孔を有しており、支柱部支持孔にパイプ材の下端を挿し込んで支柱部を立設できるから、基礎及び支柱部を台風の強風に十分に耐えられる耐倒壊強度を有するように堅固に、かつ簡易迅速に低コストで構築することができ、上端に鉢植えを設置することができて周辺との違和感を生じない存在感を持たせることができ、薄暮時に自動点灯し人が通過するときに周囲を広く明るく照射できる。【００１５】  また本発明の屋外監視装置屋によれば、上記屋外灯と同一の発明の効果を有し、さらに、照射位置の映像を記録し、ディスプレイにて映像を監視することができ、もって屋外灯による照射領域を常時遠隔監視し得る屋外監視装置を提供する。【００１６】  また本発明の屋外監視システムによれば、上記屋外灯と同一の発明の効果を有し、さらに、照射位置の映像を記録して監視することができ、さらにインターネットに接続可能な携帯通信端末により照射位置の映像をリアルタイムで監視することができ、もって、屋外監視装置による照射領域を映像により遠隔監視し得る屋外灯、屋外監視装置および屋外監視システムを提供する。
【図面の簡単な説明】
【００１７】
【図１】本発明の実施形態に係る屋外監視装置の正面図である。
【図２】図１におけるＩＩ−ＩＩ矢視図である。
【図３】図１におけるＩＩＩ−ＩＩＩ矢視図である。
【図４】第１のブラケットと人感型夜間照明灯との取付状態を示す側面図である。
【発明を実施するための形態】
【００１８】  以下、本発明の屋外監視システムに係る実施形態について図面を参照して説明する。なお、この説明を通して本発明の屋外灯の実施形態及び屋外監視装置の実施形態について合わせて説明するものとする。
【００１９】  図１〜図３に示すように、この屋外監視システム１００は、屋外灯１に屋外監視部２を備えてなる屋外監視装置３と、屋外灯１から離隔した監視施設に備えたコンピュータ４と、から構成される。屋外灯１は、基礎部５と、基礎部５に立設される支柱部６と、支柱部６の上部に備えられた第１のブラケット７と、第１のブラケット７に支持された複数個の人感型夜間照明灯８と、を備えてなる。屋外監視部２は、屋外灯１に固定される第２のブラケット９に設置された撮像器１０と、屋外灯１に固定される第３のブラケット１１に設置された通信器１２と、屋外灯１に固定される第４のブラケット１３に設置された太陽光発電パネル１４と、撮像部駆動用蓄電池１５と、を備えてなる。以下、詳述する。
【００２０】  基礎部５は、地中に掘られた例えば直径１００ｃｍ、深さＤ＝６０ｃｍの穴Ｈの底にグリ石ｓを敷いて、その上に積み重ね収容される複数個（図では４個）の重量ブロック５ａを備えている。
重量ブロック５ａは、コンクリート製又はモルタル製であり、１個が例えば１０〜３０ｋｇと成人男子が容易に持ち運べる重さであり、また形状・大きさが例えば４０〜５０ｃｍΦで厚さが１０〜１５ｃｍの短円筒体である（直方体でも良い）。４個の重量ブロック５ａは、穴Ｈに１個ずつ収容し積み重ねても良いが、穴Ｈに入れる前に積み重ね、各重量ブロック５ａに棒状部５ｄを取付け、一番下の重量ブロック５ａにロープを掛けてユンボ等の荷揚装置を用いて吊り上げて穴Ｈ内に吊り下ろし、側面にヤトイを入れてブロックの上面と側面を正確に水平と垂直に一致するように姿勢橋正を行い、基礎部５の周囲にグリ石ｓを詰めかつ途中でヤトイを外し、グリ石ｓを突き堅めることにより重量ブロック５ａを地中に安定状態に埋める。これにより、基礎部５は、台風の強風に十分に耐えられる耐倒壊強度を有すると共に、グリ石ｓを取り除くことで棒状部５ｄを吊具で釣り上げて重量ブロック５ａを撤去できる。
【００２１】  重量ブロック５ａは、一方の面に凹部を有していると共に、この凹部に対応して他方の面より突出する凸部を有している形状であることにより、複数個（図では４個）を積み重ねた状態で、下側の重量ブロック５ａの上面の凸部と上側の重量ブロック５ａの下面の凹部とが嵌合して安定して積み重なる。
重量ブロック５ａは上下に貫通して設けられた複数個（図では３個）の支柱部支持孔５ｂを有している。３個の支柱部支持孔５ｂは、例えば一辺が２０ｃｍの正三角形の３つの頂点配置となるように位置し、４個の重量ブロック５ａは、下側の重量ブロック５ａと上側の重量ブロック５ａとの密着面に位置決めピン５ｅが１つ又は複数個配置され、これにより、支柱部支持孔５ｂが後述するパイプ材６ａを通し得るように一致して積み重なっている。支柱部支持孔５ｂはパイプ材６ａの外径よりも３〜６ｍｍ位大きく径を有して形成される。なお、一番下に重なる重量ブロック５ａについては、支柱部支持孔５ｂが上面から厚みの中程まで穿たれているか、全く穿たれていなくても良く、この構成にすると、パイプ材６ａが穴Ｈの底に敷いたグリ石ｓに突き当らず、長期間経過してもパイプ材６ａが該パイプ材６ａにかかる重量で下降することがない。
【００２２】  棒状部５ｄは、基端にねじ部が形成され先端に抵抗板５ｆが付設され、ねじ部が、重量ブロック５ａの側面の３箇所以上（図では周面方向の四等分位置）に埋め込まれている長ボルト５ｃに捩じ込まれ、放射方向に延びて穴Ｈの周面と基礎部５の周面との隙間空間に収容され、グリ石ｓにより埋まる抵抗板５ｆが重量ブロック５ａを安定させる役目を果たす。
【００２３】  支柱部６は、複数本（図では３本）の鋼製（ガス管）のパイプ材６ａよりなり、各パイプ材６ａの下端を基礎部５の支柱部支持孔５ｂに挿し込まれて立設され、上端を第１のブラケット７により連結される。これにより、立体トラス構造に組立てられている。なお、穴Ｈの周面と基礎部５の周面との隙間空間を埋めるグリ石ｓは、３本のパイプ材６ａの下端を基礎部５の支柱部支持孔５ｂに挿し込み、支柱部６を立設した後に充填される。
【００２４】  第１のブラケット７は、鋼製又はプラスチック製であり、植木鉢ＦＰを受承し得る大きさの底面部７ａと、底面部７ａの下面に固定して設けられ支柱部６を構成する３本のパイプ材６ａの各上端に被されると共にねじで締め付け固定される連結筒７ｂと、底面部７ａを取り巻く所要高い位置に備えられる８角形のリング部７ｃと、底面部７ａの周縁の複数個所（８等分箇所）よりそれぞれ立ち上がりリング部７ｃを支持する複数（図では８本）の連結バー７ｄと、を有する。従って、植木鉢ＦＰを持ち上げ脚立等を用いて第１のブラケット７の真上に位置させ、底面部７ａ上に載置すると、リング部７ｃが植木鉢ＦＰを取り囲む形状である。
【００２５】  図４に示すように、人感型夜間照明灯８は、上面側に太陽光発電パネル部８ａ、下面側にＬＥＤ発光部８ｂ、中間部に蓄電池部８ｃを有し、さらに光センサ８ｄと人感センサ８ｅを有するオールインワンに構成されている。人感型夜間照明灯８は、複数個（図では８角形のリング部７ｃの各辺に対応して８個）備えられ、Ｌブラケット８ｆを第１のブラケット７のリング部７ｃの外面に合わせられボルト・ナット８ｇにより固定される。人感型夜間照明灯８は、昼間は太陽光発電パネル部８ａが太陽光を受けて発電し、発電した電力を蓄電池部８ｃに貯めると共に、蓄電池部８ｃの電圧が所定高値になった後には後述する撮像部駆動用蓄電池１５に貯めるようになっていて、薄暮になり周囲が一定照度以下に暗くなることを光センサ８ｄにより感知してＬＥＤ発光部８ｂを弱く発光し、さらに人感センサ８ｅが照光領域に人の存在を感知することによりＬＥＤ発光部８ｂが明るく発光する構成である。従って、人感型夜間照明灯８は、ＬＥＤ発光部８ｂが省電力モードで発光する。
【００２６】  撮像器１０は、人感型夜間照明灯８の照射範囲をデジタル撮影し映像をコンピュータ４に無線送信し得る無線通信機能を有するデジタルカメラが用いられている。この撮像器１０として、スマートフォンを用いることができ、この場合には、極めて省電力になるので好ましい。撮像器１０は、雨風に晒されないように、第２のブラケット９に固定されたカメラボックス１７内に所定の姿勢に固定設置される。カメラボックス１７は、ほぼ立方体形状であり第２のブラケット９にねじで固定されるボックス本体１７ａと、撮像器１０のレンズに対応する側面部であって、ボックス本体１７ａに対してパッキンを挟んで密封状態にねじ止めされる蓋板１７ｂと、を備えている。蓋板１７ｂには中央に円孔を有し、該円孔が透明板（ガラス板）で閉じられている。従って、撮像器１０は、蓋板１７ｂの透明板を通して人感型夜間照明灯８の照射範囲をデジタル撮影する。
【００２７】  通信器１２と撮像部駆動用蓄電池１５は、第３のブラケット１１に固定設置される格納ボックス１６に収容され、通信器１２の通信アンテナ１２ａは、第１のブラケット７に立設されている。
【００２８】  通信器１２は、支柱部６から離れた施設に設備されるコンピュータ４との間で無線通信を行い、コンピュータ４からの指示信号に基づいて自身のＯＮ，ＯＦＦを行うと共に、ＯＮ動作において、撮像器１０が撮影した映像を無線送信可能な信号に変換してコンピュータ４に無線送信する。なお、通信器１２に替えて、送信器を備えても良い。この場合、送信器は、撮像器１０が撮影した映像を無線送信可能な信号に変換してコンピュータ４に無線送信する。
【００２９】  太陽光発電パネル１４は、支柱部６に取り付けられた第４のブラケット１３に設置されている。
撮像部駆動用蓄電池１５は、太陽光発電パネル１４で発電された電力を溜めて、撮像器１０に給電すると共に、通信器１２に給電し、さらに人感型夜間照明灯８のＬＥＤ発光部８ｂに給電する。
【００３０】  撮像器１０が撮影した映像をコンピュータ４に接続された受信器に送信するようにカスタマイズされていて、撮像器１０、通信器１２及び撮像部駆動用蓄電池１５の三つを兼ねるスマートフォン（携帯電話）１９が、支柱部６に取り付けられ、太陽光発電パネル１４から給電される。
【００３１】  コンピュータ４は、入力した映像をディスプレイに表示すると共に、入力した映像をメモリに格納する。これにより、撮像器１０が撮影した映像をリアルタイムで監視できると共に、後においても撮影した映像を見ることができる。コンピュータ４は、入力した映像をそのままインターネット１８に配信するウェブサーバーである。これにより、外出先でスマートフォン１９を用いてコンピュータ４の映像をリアルタイムで監視することができる。
【００３２】  スマートフォン１９からコンピュータ４で映像を見るには、スマートフォン１９において、コンピュータ４が映像をインターネット１８に配信しているＵＲＬを入力して接続する。このとき、スマートフォン１９からコンピュータ４へ送信する指示信号は、携帯網に対応する信号であり、最寄りの基地局２０により受信され、ここでインターネット１８に対応する信号に変換され、コンピュータ４に送信される。撮像器１０が撮影した映像をコンピュータ４がインターネット１８に配信していれば、スマートフォン１９において、その映像を配信してＵＲＬを入力して接続すればリアルタイムで見られる。コンピュータ４は、映像を配信すると共に、その映像をメモリに記憶しているので、後においてもその映像を見ることができる。
【００３３】  本発明の屋外灯によれば、地表に穴掘りしてこの穴にて複数個の重量ブロック５ａを積み重ね収容して基礎部５を構築することができるから、基礎部５を簡易迅速にかつ傾く虞が無いように低コストで構築することができ、さらに複数個の重量ブロック５ａの積み重ねからなる基礎ＬＥＤ発光部８ｂには複数の支柱部支持孔５ｂを有しており、支柱部支持孔５ｂにパイプ材６ａの下端を挿し込んで支柱部６を立設できるから、低コストの支柱部材を用いて台風などの強風に十分に耐えられる耐倒壊強度を有するように迅速かつ強固に低コストで支柱部６を立設することができ、上端に鉢植えＬＥＤ発光部８ｂを設置することができて周辺との違和感を生じない存在感を有し、薄暮時に自動点灯し人が通過するときに周囲を広く明るく照射できる。
【００３４】〔その他の実施形態〕
本発明は、上記の実施形態に限定されるものでなく、特許請求の範囲の技術的範囲には、発明の要旨を逸脱しない範囲内で種々、設計変更した形態が含まれる。
【００３５】  上記の実施形態では、撮像器１０と太陽光発電パネル１４とが支柱部６を挟んで同じ高さに位置し、太陽光発電パネル１４を南向きに、撮像器１０を北向きにして、屋外灯１を設置するが、これに限定されるものではない。撮像器１０を西向き、又は東向きとなるように向きを変えて屋外灯１を設置しても良い。この場合には、第２のブラケット９を交換すれば足りる。撮像器１０を南向きにするには、例えば、第３のブラケット１１を下位置に移動して太陽光発電パネル１４との離間距離を採り、撮像器１０を太陽光発電パネル１４の下に位置させて設置する。
上記の実施形態では、第２，第３及び第４のブラケット９，１１，１３は、パイプ材６ａに通す筒部を有しかつ筒部にねじ穴を有し、ねじ穴に外方からねじをねじ込んで筒部に通したパイプ材６ａに突き当ててパイプ材６ａと筒部とを固定する構成されている。これにより、ブラケットをパイプ材６ａに対して取り外し可能であり、ブラケットのパイプ材６ａに対する連結固定が大きい。しかし、これに限定されるものでなく、パイプ材６ａに対して挟持し固定するように構成しても良い。
【符号の説明】
【００３６】  １００  屋外監視システム
１  屋外灯
２  屋外監視部
３  屋外監視装置
４  コンピュータ
Ｈ  穴
ｓ  グリ石
５  基礎部
５ａ  重量ブロック
５ｂ  支柱部支持孔
５ｃ  長ボルト
５ｄ  棒状部
５ｅ  位置決めピン
５ｆ  抵抗板
６  支柱部
６ａ  パイプ材
７  第１のブラケット
７ａ  底面部
７ｂ  連結筒
７ｃ  リング部
７ｄ  連結バー
ＦＢ  植木鉢
８  人感型夜間照明灯
８ａ  太陽光発電パネル部
８ｂ  ＬＥＤ発光部
８ｃ  蓄電池部
８ｄ  光センサ
８ｅ  人感センサ
９  第２のブラケット
１０  撮像器
１１  第３のブラケット
１２  通信器
１２ａ  通信アンテナ
１３  第４のブラケット
１４  太陽光発電パネル
１５  撮像部駆動用蓄電池
１６  格納ボックス
１７  カメラボックス
１７ａ  ボックス本体
１７ｂ  蓋板
１８  インターネット
１９  スマートフォン
２０  基地局
【図１】
2014110238.tif 000003
【図２】
2014110238.tif 000004
【図３】
2014110238.tif 000005
【図４】
2014110238.tif 000006